(57)【特許請求の範囲】
【請求項１】
第１の感光体と第２の感光体を有するカラー画像形成装置において、
前記第１および第２の感光体それぞれに対応する第１および第２の光走査装置であって、対応する前記感光体上に静電潜像を形成するための光ビームを出射する光源と、前記光ビームが対応する前記感光体上を走査するように前記光ビームを偏向する偏向手段と、前記偏向手段と対応する前記感光体との間の前記光ビームの光路上に配置される光学部材と、前記光源が取り付けられ、前記偏向手段と前記光学部材を内部に収容する筺体と、前記筺体の内部に取り付けられ、前記筺体内部において前記光学部材を支持する支持部とカム機構を含み、前記カム機構の動作に応じて前記支持部に支持された前記光学部材の姿勢または位置を変化させることが可能な調整機構と、前記カム機構の配置位置に対応する位置に設けられた開口と、をそれぞれ有し、前記筺体の外部から駆動モータを取り付け可能な第１および第２の光走査装置を有し、
前記第１の光走査装置において、前記第１の光走査装置には前記カム機構に動力を与えるための駆動モータが取り付けられておらず、前記調整機構は前記筺体に対して固定され、前記光学部材は前記筺体に対して固定された調整機構によって前記筺体内に固定保持され、
前記第２の光走査装置において、前記第２の光走査装置には前記カム機構に動力を与えるための駆動モータが取り付けられ、前記カム機構は前記開口を通過する回転軸から前記駆動モータの動力を受けることによって回転し、
前記第２の光走査装置に備えられる前記カム機構が回転することによって前記調整機構が前記支持部に支持された前記光学部材の姿勢または位置を変化させることによって前記第２の感光体上における前記光ビームの結像位置を調整可能であることを特徴とするカラー画像形成装置。
【請求項２】
第１の感光体と第２の感光体を有するカラー画像形成装置において、
光走査装置であって、前記第１の感光体上に静電潜像を形成するための第１の光ビームを出射する第１の光源と、前記第２の感光体上に静電潜像を形成するための第２の光ビームを出射する第２の光源と、前記第１の光ビームが前記第１の感光体上を走査し、前記第２の光ビームが前記第２の感光体を走査するように前記第１の光ビームおよび前記第２の光ビームを偏向する偏向手段と、前記偏向手段と前記第１の感光体との間の前記第１の光ビームの光路上に配置される第１の光学部材と、前記偏向手段と前記第２の感光体との間の前記第２の光ビームの光路上に配置される第２の光学部材と、前記第１の光源および前記第２の光源が取り付けられ、前記偏向手段、前記第１の光学部材、および前記第２の光学部材を内部に収容する筺体と、前記筺体の内部に取り付けられ、前記筺体内部において前記第１の光学部材を支持する第１の支持部と第１のカム機構を含み、前記第１のカム機構の動作に応じて前記第１の支持部に支持された前記第１の光学部材の姿勢または位置を変化させることが可能な第１の調整機構と、前記筺体の内部に取り付けられ、前記筺体内部において前記第２の光学部材を支持する第２の支持部と第２のカム機構を含み、前記第２のカム機構の動作に応じて前記第２の支持部に支持された前記第２の光学部材の姿勢または位置を変化させることが可能な第２の調整機構と、前記第１のカム機構の配置位置に対応する位置に設けられた第１の開口と、前記第２のカム機構の配置位置に対応する位置に設けられた第２の開口と、をそれぞれ有し、前記筺体の外部から駆動モータを取り付け可能な光走査装置を有し、
前記第１の調整機構の前記第１のカム機構には動力を与えるための駆動モータが取り付けられておらず、前記第１の調整機構が前記筺体に対して固定され、前記第１の光学部材は前記筺体に対して固定された前記第１の調整機構によって前記筺体内に固定保持され、
前記第２の調整機構の前記第２のカム機構には動力を与えるための駆動モータが取り付けられ、前記第２のカム機構は前記開口を通過する回転軸から前記駆動モータの動力を受けることによって回転し、
前記第２のカム機構が回転することによって前記第２の調整機構が前記第２の支持部に支持された前記第２の光学部材の姿勢または位置を変化させることによって前記第２の感光体上における前記光ビームの結像位置を調整可能であることを特徴とするカラー画像形成装置。
【請求項３】
前記第１の光走査装置に備えられる前記光学部材および前記第２の光走査装置に備えられる前記光学部材は、結像レンズであり、
前記第１の光走査装置に備えられる前記支持部および前記第２の光走査装置に備えられる前記支持部はそれぞれ一端が軸により回転可能に支持された支持部であり、
前記第１の光走査装置において、前記第１の光走査装置の前記調整機構は、前記第１の光走査装置の前記カム機構を軸支しかつ当該カム機構が回転しないように固定するロックピンを有するカムホルダーを有し、
前記第２の光走査装置において、前記第２の光走査装置の前記調整機構は、前記第２の光走査装置の前記カム機構を軸支しかつ当該カム機構が回転しないように固定するロックピンを有するカムホルダーを有し、
前記駆動モータは、前記駆動モータの回転軸に固定され前記カム機構のギアと噛み合うギアと、前記カムホルダーの前記ロックピンによる前記カム機構の固定を解除するロック解除ピンと、を有し、
前記第１の光走査装置に備えられる前記カム機構は、前記第１の光走査装置に備えられるカムホルダーが有する前記ロックピンによって固定されており、
前記第２の光走査装置に備えられる前記カムホルダーの前記ロックピンは、前記駆動モータの前記ロック解除ピンによって解除されており、前記第２の光走査装置に備えられる前記カム機構は、当該カム機構のギアと噛み合う前記駆動モータの前記ギアから動力を受けて回転することを特徴とする請求項１に記載のカラー画像形成装置。
【請求項４】
前記第１の光学部材および前記第２の光学部材は、結像レンズであり、
前記第１の支持部及び前記第２の支持部はそれぞれ一端が軸により回転可能に支持されており、
前記第１の調整機構は、当該第１の調整機構が備える前記カム機構を軸支しかつ当該カム機構が回転しないように固定するロックピンを有するカムホルダーを有し、
前記第２の調整機構は、当該第２の調整機構が備える前記カム機構を軸支しかつ当該カム機構が回転しないように固定するロックピンを有するカムホルダーを有し、
前記駆動モータは、前記駆動モータの回転軸に固定され前記カム機構のギアと噛み合うギアと、前記カムホルダーの前記ロックピンによる前記カム機構の固定を解除するロック解除ピンと、を有し、
前記第１の調整機構に備えられる前記カム機構は、前記第１の調整機構に備えられるカムホルダーが有する前記ロックピンによって固定されており、
前記第２の調整機構に備えられる前記カムホルダーの前記ロックピンは、前記駆動モータの前記ロック解除ピンによって解除されており、前記第２の調整機構に備えられる前記カム機構は、当該カム機構のギアと噛み合う前記駆動モータの前記ギアから動力を受けて回転することを特徴とする請求項２に記載のカラー画像形成装置。
【請求項５】
前記結像レンズは、ｆθレンズであることを特徴とする請求項３又は４に記載のカラー画像形成装置。
【発明の詳細な説明】
【技術分野】
【０００１】
本発明は、複写機、プリンター等の光走査装置を搭載したカラー画像形成装置に関する。
【背景技術】
【０００２】
レーザビームプリンター等の画像形成装置においては、露光装置であるレーザ走査装置によって感光ドラム上を露光走査し、静電潜像を形成する構成が知られている。近年、画像形成装置は高速のカラープリントが求められており、感光ドラムを含むプロセスユニットをプロセスカラー分（イエロー、マゼンタ、シアン、ブラック（以下、ＹＭＣＫという）の４色）備える、いわゆるタンデム方式の構成を有することが一般的である。タンデム方式の画像形成装置に搭載されるレーザ走査装置として、２色の走査光を出射しＹＭＣＫのうちの２色の感光ドラムを走査する、いわゆる２ｉｎ１方式と呼ばれる構成のレーザ走査装置がある。このレーザ走査装置は、１つの画像形成装置に２つ搭載される。なお、一つのユニットから１色の走査光を出射する１ｉｎ１方式のレーザ走査装置もある。
【０００３】
一般に、４色のプロセスユニットによるタンデム方式の画像形成装置においては、装置が連続して稼動している間に徐々にレーザ走査装置の照射位置がずれ、そのずれ量が各色毎に微妙に異なることから色ずれが発生するという課題がある。これは、ポリゴンミラーの回転による発熱や定着部などからの熱によって、レーザ走査装置の筐体に歪みが発生し、筐体内のミラーやレンズの姿勢が変化して、感光ドラム上の走査線の照射位置にずれが生じるためである。そして、ずれには各走査線が副走査方向に平行にずれるレジずれや、副走査方向に各走査線の平行が崩れる傾きずれなどがある。このような色ずれを抑える方法として、以下のような提案がなされている。
【０００４】
例えば特許文献１では、共通の２ｉｎ１方式のレーザ走査装置を搭載した画像形成装置において、各レーザ走査装置を所定方向に移動可能に支持すると共に、所定の回転軸の周りに回転可能とし、それぞれの走査線の傾きを独立して調整できる技術が開示されている。この技術では、２ｉｎ１のレーザ走査装置全体を一体的に動かして調整するため、調整機構そのものが大がかりなものとなる。更に、調整時にすべての走査線が同時に動くので調整が非常に煩雑になるため、初期状態の調整ができたとしても画像形成装置の稼動中に刻々と変化する傾きずれには対応できない。この変化する傾きずれを調整する方法として、装置稼動中に一定の時間間隔で４色の傾きずれ量を測定し、それに応じて副走査方向に屈折力を持つ結像レンズを傾き補正モータを用いて光軸回りに回転させて走査線を合わせるという方法が知られている。
【先行技術文献】
【特許文献】
【０００５】
【特許文献１】特開平１０−１８１０８７号公報
【発明の概要】
【発明が解決しようとする課題】
【０００６】
上記方法により各走査線の傾きずれを調整する場合、４色のうちの任意の１色を基準色として、他の色の走査線を基準色の走査線に合わせるという方法が一般的である。この方法では、基準色の走査線は傾きずれの補正をする必要がないため、基準色用に傾き補正モータを設置する必要はない。図７に示すように、傾き補正モータ２３はレーザ走査装置の構成品として筐体１の内部に固定されている。そのため、例えば先に述べた２ｉｎ１方式のレーザ走査装置において不要な基準色用の傾き補正モータを省こうとすると、以下の課題がある。すなわち、基準色を含む走査光を出射する側のレーザ走査装置とそれ以外の色の走査光を出射する側のレーザ走査装置とで、異なるレーザ走査装置として製作しなければならず、製作や管理の工程が煩雑になる。これを避けるため搭載するレーザ走査装置をすべて共通化するには、本来不要であるはずの基準色用のレーザ走査装置にも傾き補正モータを搭載する必要があった。
【０００７】
また、従来よく用いられている、図７のような傾き補正モータ２３によってカム２２の位相を調整して結像レンズの姿勢を決める構成では、傾き補正モータ２３を装着しない場合にカム２２の位相が固定されなくなるという課題もあった。
【０００８】
本発明はこのような状況のもとでなされたものであり、光走査装置を複数個搭載するタンデム方式の画像形成装置において、基準色用の光走査装置であるか否かにかかわらず光走査装置を共通化することを目的とする。
【課題を解決するための手段】
【０００９】
上記目的を達成するために、本発明は以下の構成を有する。
【００１０】
（１）第１の感光体と第２の感光体を有するカラー画像形成装置において、前記第１および第２の感光体それぞれに対応する第１および第２の光走査装置であって、対応する前記感光体上に静電潜像を形成するための光ビームを出射する光源と、前記光ビームが対応する前記感光体上を走査するように前記光ビームを偏向する偏向手段と、前記偏向手段と対応する前記感光体との間の前記光ビームの光路上に配置される光学部材と、前記光源が取り付けられ、前記偏向手段と前記光学部材を内部に収容する筺体と、前記筺体の内部に取り付けられ、前記筺体内部において前記光学部材を支持する支持部とカム機構を含み、前記カム機構の動作に応じて前記支持部に支持された前記光学部材の姿勢または位置を変化させることが可能な調整機構と、前記カム機構の配置位置に対応する位置に設けられた開口と、をそれぞれ有し、前記筺体の外部から駆動モータを取り付け可能な第１および第２の光走査装置を有し、前記第１の光走査装置において、前記第１の光走査装置には前記カム機構に動力を与えるための駆動モータが取り付けられておらず、前記調整機構は前記筺体に対して固定され、前記光学部材は前記筺体に対して固定された調整機構によって前記筺体内に固定保持され、前記第２の光走査装置において、前記第２の光走査装置には前記カム機構に動力を与えるための駆動モータが取り付けられ、前記カム機構は前記開口を通過する回転軸から前記駆動モータの動力を受けることによって回転し、前記第２の光走査装置に備えられる前記カム機構が回転することによって前記調整機構が前記支持部に支持された前記光学部材の姿勢または位置を変化させることによって前記第２の感光体上における前記光ビームの結像位置を調整可能であることを特徴とするカラー画像形成装置。
【００１１】
（２）第１の感光体と第２の感光体を有するカラー画像形成装置において、光走査装置であって、前記第１の感光体上に静電潜像を形成するための第１の光ビームを出射する第１の光源と、前記第２の感光体上に静電潜像を形成するための第２の光ビームを出射する第２の光源と、前記第１の光ビームが前記第１の感光体上を走査し、前記第２の光ビームが前記第２の感光体を走査するように前記第１の光ビームおよび前記第２の光ビームを偏向する偏向手段と、前記偏向手段と前記第１の感光体との間の前記第１の光ビームの光路上に配置される第１の光学部材と、前記偏向手段と前記第２の感光体との間の前記第２の光ビームの光路上に配置される第２の光学部材と、前記第１の光源および前記第２の光源が取り付けられ、前記偏向手段、前記第１の光学部材、および前記第２の光学部材を内部に収容する筺体と、前記筺体の内部に取り付けられ、前記筺体内部において前記第１の光学部材を支持する第１の支持部と第１のカム機構を含み、前記第１のカム機構の動作に応じて前記第１の支持部に支持された前記第１の光学部材の姿勢または位置を変化させることが可能な第１の調整機構と、前記筺体の内部に取り付けられ、前記筺体内部において前記第２の光学部材を支持する第２の支持部と第２のカム機構を含み、前記第２のカム機構の動作に応じて前記第２の支持部に支持された前記第２の光学部材の姿勢または位置を変化させることが可能な第２の調整機構と、前記第１のカム機構の配置位置に対応する位置に設けられた第１の開口と、前記第２のカム機構の配置位置に対応する位置に設けられた第２の開口と、をそれぞれ有し、前記筺体の外部から駆動モータを取り付け可能な光走査装置を有し、前記第１の調整機構の前記第１のカム機構には動力を与えるための駆動モータが取り付けられておらず、前記第１の調整機構が前記筺体に対して固定され、前記第１の光学部材は前記筺体に対して固定された前記第１の調整機構によって前記筺体内に固定保持され、前記第２の調整機構の前記第２のカム機構には動力を与えるための駆動モータが取り付けられ、前記第２のカム機構は前記開口を通過する回転軸から前記駆動モータの動力を受けることによって回転し、前記第２のカム機構が回転することによって前記第２の調整機構が前記第２の支持部に支持された前記第２の光学部材の姿勢または位置を変化させることによって前記第２の感光体上における前記光ビームの結像位置を調整可能であることを特徴とするカラー画像形成装置。
【発明の効果】
【００１２】
本発明によれば、光走査装置を複数個搭載するタンデム方式の画像形成装置において、基準色用の光走査装置であるか否かにかかわらず光走査装置を共通化することができる。
【図面の簡単な説明】
【００１３】
【図１】実施例の画像形成装置の概略図
【図２】実施例の光走査装置の光路の主走査断面図、縦断面図
【図３】実施例の光走査装置の傾き補正の原理を示す図
【図４】実施例の傾き調整部、傾き補正モータを示す図
【図５】実施例の傾き補正モータの装着前及び装着後の状態を示す図
【図６】実施例のカムのロック機構を説明する図
【図７】従来例の光走査装置の内部構造を示す図
【発明を実施するための形態】
【００１４】
以下、図面を参照して本発明の実施例について説明する。
【実施例】
【００１５】
［画像形成装置の構成］
図１に本実施例の光走査装置を複数備えたカラー画像形成装置の一例を示す。なお、以下の説明においては、光走査装置として光源にレーザを用いたレーザ走査装置について説明する。画像形成装置は、用紙を供給する給紙部２００，トナー像を形成するプロセスユニット３００，プロセスユニット３００内の像担持体（感光体）である感光ドラム１０をレーザビームにより走査して静電潜像を形成するレーザ走査装置１００を有する。更に、４色（複数色）のプロセスユニット３００により現像されたトナー像を重ね合わせ用紙に一括転写する中間転写ベルト４００、用紙上に転写されたトナー像を定着させる定着部５００を有する。プロセスユニット３００は、ＹＭＣＫの４色分設けられており、それぞれ感光ドラム部３１０と現像部３２０で構成され、レーザ走査装置１００によって感光ドラム１０に形成された静電潜像に、現像部３２０によってトナーを付着させてトナー像が形成される。レーザ走査装置１００は、２系統の走査光を出射するユニットを２つ並べ、それぞれがＹＭもしくはＣＫの感光ドラム１０を走査する。各色のトナー像は、感光ドラム１０と中間転写ベルト４００とが接する第１転写部で中間転写ベルト４００上に重ね合わされ、中間転写ベルト４００と用紙が接触する第２転写部において給紙部２００から搬送されてきた用紙へと一括転写される。４色のトナー像が転写された用紙は定着部５００へと搬送され、定着ローラー５１０で挟持され熱と圧力をかけられて用紙のトナー像が定着される。
【００１６】
［レーザ露光装置の構成］
図２（ａ）は、本実施例の２ｉｎ１方式のレーザ走査装置の光路を一平面上に展開した主走査断面の図である。なお、主走査断面とは、走査方向と平行でかつポリゴンミラー５の回転軸と垂直な面をいう。また、光軸を含んでこの主走査断面と垂直な面を副走査断面とする。図２（ａ）において、光源２から出射したレーザビーム（光ビーム）はコリメータレンズ３によって平行光に変換され、直後のシリンドリカルレンズ４によって副走査方向（ポリゴンミラー５の反射面上の走査方向と直交する方向）に収束される。そして絞り１５によって所定の形状に整形された後、ポリゴンミラー５の反射面上で線状に結像する。コリメータレンズ３、シリンドリカルレンズ４、絞り１５は結像光学系を構成する。ポリゴンミラー５の反射面上で結像したレーザビームはポリゴンミラー５の回転によって偏向され、ｆθレンズＭ（走査光学系）によって感光ドラム１０上（感光体上）に結像して等速度走査され静電潜像が形成される。すなわちｆθレンズＭは、ポリゴンミラー５と感光ドラム１０の間のレーザビームの光路上に配置される。なお、ｆθレンズＭは第１の結像レンズ６と第２の結像レンズ７とからなる。また、図２（ａ）に示すように、この光学系はポリゴンミラー５を挟んで対称に第１走査経路と第２走査経路からなり、それらが別々の感光ドラム１０を走査する。図２（ｂ）は、図２（ａ）で説明した光学系を実際に筐体１に搭載したレーザ走査装置の縦断面図である。図２（ａ）では光学系を平面展開して説明したが、実際にはレーザ露光装置は、図２（ｂ）に示すように折り返しミラーを用いて立体的な経路で感光ドラム１０を露光走査している。具体的には、第１及び第２走査経路それぞれについて、ｆθレンズＭの第１の結像レンズ６と第２の結像レンズ７の間に第１ミラー８、更に第２の結像レンズ７を通過した後に第２ミラー９が設けられている。そして、走査光は合計２回の折り返しで最終的に感光ドラム１０へと導かれている。
【００１７】
［傾きずれの調整方法］
図３（ａ）は、傾きずれの調整方法を示す図である。図３（ｂ）は図３（ａ）の矢印Ａの方向から見た図である。ｆθレンズＭの第２の結像レンズ７は、レンズ支持板２０に接着固定されている。レンズ支持板２０は、図示しない固定バネによって、筐体１の光軸に垂直な面に付勢されると共に、レンズ支持板２０の一端を回転軸２０ａにより支持され他方の端部を高さ調整部材２１によって支持されている。そして、全体として突き当て面に当接しつつ、回転軸２０ａを中心に高さ調整部材２１の姿勢に応じて回転可能に支持されている。なお、第２の結像レンズ７は、図３（ｃ）に示すように副走査断面に曲率を与えられており、副走査方向の屈折力を有する。高さ調整部材２１はシーソーのように支持され、他方の突き当て面がカム２２に接触している。カム２２は外周に歯車を有し、その歯車が傾き補正モータ２３（駆動モータ）のギアと係合している。そして、傾き補正モータ２３の回転によってカム２２の位相が変化し、それに伴い第２の結像レンズ７の端部高さ、姿勢が高さ調整部材２１を介して調整される。
【００１８】
このような構成で第２の結像レンズ７を回転させると、回転軸２０ａに近い側から遠い側にいくに従って第２の結像レンズ７の副走査方向の移動量が大きくなる。図３（ｃ）は、第２の結像レンズ７を通る光束の位置と屈折の関係を模式的に示した図である。結像レンズは副走査方向に屈折力を持っており、レンズの中央を通る光束ＡがまっすぐＡ’に進むのに対して、光束Ｂや光束Ｃはレンズの特性としてレンズの光軸中心より遠くを通るほど内側に強く進もうとするので、それぞれＢ’及びＣ’へと方向を変える。ここではＡ〜Ｃの３つの光束を代表的に記載しているが、実際にはレンズの通過位置に対応して連続的に光束の方向が変化する。つまり、第２の結像レンズ７を回転させることで回転軸２０ａから遠い側のレンズの副走査方向移動量を調整すれば、それに伴って光束の結像位置も回転軸２０ａに近い側から遠い側に向かって連続的に変化させることができる。その結果、感光ドラム上（像担持体上）の走査線の傾きずれを調整することができる。
【００１９】
［傾き調整部の構成］
次に、レーザ走査装置１００の傾き調整部について更に詳しく述べる。図４（ａ）は、レーザ走査装置の一部を示し、筐体１と傾き調整部及び傾き補正モータ２３の位置関係を示す断面図である。また、図４（ｂ）は傾き補正モータ２３のみを示した図である。傾き補正モータ２３は、従来のレーザ走査装置と異なり筐体１に外側から着脱可能である。図５は傾き補正モータ２３が装着されている状態と装着されていない状態における、傾き調整部を表裏方向から眺めた斜視図である。なお、前述の図３（ｂ）は、図４（ａ）を上下反転された図である。図５（ａ）は、傾き補正モータ２３が取り付けられていない傾き調整部を表側から見た図であり、図５（ｂ）は同じく裏側から見た図である。また、図５（ｃ）は、傾き補正モータ２３が取り付けられている傾き調整部を表側から見た図であり、図５（ｄ）は同じく裏側から見た図である。図４（ａ）に示すとおり、高さ調整部材２１，カム２２，カムホルダー２４で構成される傾き調整部が筐体１に収容されているのに対して、傾き補正モータ２３は筐体１の外部に取り付けられる。この補正モータ２３は着脱可能であり、この補正モータ２３の動力が筐体１に設けられた位置決め穴１ａ（開口）を介して第２の結像レンズ７の姿勢または位置を調整する。傾き補正モータ２３は、図４（ｂ）に示すように軸にモータギア２３ｂ、軸の底部に突起部２３ｃを有し、所定の位置にロック解除ピン２３ａが設置されている。図５（ｂ）に示す筐体１に設けられた位置決め穴１ａにモータギア２３ｂを貫通したのち、突起部２３ｃが位置決め穴１ａと嵌合して位置決めされ、ビス２点で筐体１に固定される（図５（ｄ））。
【００２０】
［カムのロック機構］
次に、図６を用いてカム２２のロック機構について説明する。なお、図６は機構をわかりやすくするためにカム２２及びカムホルダー２４の一部が削除されている。カム２２は、カムホルダー２４によって回動自在に軸支されており、下面にカム面，外周に歯車が設けられ、更にカム面より内周側にロック穴２２ａが設けられている。カムホルダー２４には、カム２２のロック穴２２ａと対向する位置にロックピン２４ａが設けられている。筐体１に傾き補正モータ２３が装着されていない場合は、ロックピン２４ａとロック穴２２ａが嵌合して、カム２２の回転位相が初期位置でロックされカム２２を拘束する。ロックピン２４ａの周囲にはスリットが入っており、カムホルダー２４のベース部に対して弾性変形することができる。一方、傾き補正モータ２３には上記したようにロック解除ピン２３ａが設けられており、傾き補正モータ２３が筐体１に外側から装着されるとロック解除ピン２３ａがロックピン２４ａを押し上げ、カム２２のロックが解除される。このとき同時に、傾き補正モータ２３のモータギア２３ｂとカム２２の外周の歯車形状が噛み合い、ロックが解除されたカム２２は傾き補正モータ２３からの動力によって回転可能な状態となる。
【００２１】
以上のように、傾き補正モータ２３をレーザ走査装置に対して外付けにすることによって、傾き補正モータ２３の数を最適化しつつ、各々のレーザ走査装置を共通化して、製作工程や部品管理工程を単純化することが可能になる。また、傾き補正モータ２３を装着しない場合でも、カム２２の位相を固定保持することができる。すなわち、複数のレーザ走査装置を有する画像形成装置において、基準色の走査光を出射するレーザ走査装置とそれ以外（その光走査装置以外）のレーザ走査装置とでは、傾き補正モータ２３を除いて異なるレーザ走査装置として製作する必要はない。そして、基準色の走査光を出射するレーザ走査装置では、基準色用の傾き補正モータ２３を装着せず、基準色用の走査光以外の色の走査光を出射するレーザ走査装置では、そのすべての色用の傾き補正モータ２３を装着すればよい。基準色用の傾き補正モータ２３を装着しない場合は、上記したようにロックピン２４ａとロック穴２２ａが嵌合することによりカム２２の位相は固定される。
【００２２】
以上本実施例によれば、光走査装置を複数個搭載するタンデム方式の画像形成装置において、基準色用の光走査装置であるか否かにかかわらず複数の光走査装置を共通化することができる。
【符号の説明】
【００２３】
２１    高さ調整部材
２２    カム
２２ａ  ロック穴
２３    傾き補正モータ
２３ａ  ロック解除ピン
【図１】
0005843473.tif 000002
【図２】
0005843473.tif 000003
【図３】
0005843473.tif 000004
【図４】
0005843473.tif 000005
【図５】
0005843473.tif 000006
【図６】
0005843473.tif 000007
【図７】
0005843473.tif 000008